(57)【要約】【課題】写真冊子を構成する表紙シートと中頁シートとの不一致問題を解決する技術を提供する。【解決手段】冊子識別情報と表紙識別情報と表紙画像とを含む表紙注文情報を前記表紙プリンタに送り、冊子識別情報と中頁識別情報と中頁画像とを含む中頁注文情報を中頁プリンタに送り、冊子識別情報と表紙識別情報と中頁識別情報とを含む注文管理情報を冊子照合ユニットに送る。表紙プリンタは表紙シートに表紙識別情報を付与し、中頁プリンタは中頁シートに中頁識別情報を付与する。冊子照合ユニットは、入力された表紙識別情報と中頁識別情報と注文管理情報とに基づいて冊子毎の表紙シートと中頁シートとの対応関係を決定し、その対応関係を所定の表示形態で表示する表示部を有する。【選択図】図１
2011206917.tif 000002
【特許請求の範囲】
【請求項１】
表紙シートに割り付けられた表紙画像を前記表紙シートに形成する表紙プリンタと、中頁シートに割り付けられた中頁画像を前記中頁シートに形成する中頁プリンタと、前記表紙プリンタから出力された表紙シートと前記中頁プリンタから出力された中頁シートをまとめて冊子形態にする製本機と、を備えた写真冊子作製システムにおいて、
前記製本機によって冊子化されるべき表紙シートと中頁シートとを照合する冊子照合ユニットと、
注文された写真冊子を識別する冊子識別情報と、前記注文された写真冊子を構成する表紙シートを識別する表紙識別情報と、前記注文された写真冊子を構成する中頁シートを識別する中頁識別情報とを生成するとともに、前記冊子識別情報と前記表紙識別情報と表紙画像とを含む表紙注文情報を前記表紙プリンタに送り、前記冊子識別情報と前記中頁識別情報と中頁画像とを含む中頁注文情報を前記中頁プリンタに送り、前記冊子識別情報と前記表紙識別情報と前記中頁識別情報とを含む注文管理情報を前記冊子照合ユニットに送る注文情報生成部とが備えられ、
前記表紙プリンタは前記表紙シートに前記表紙識別情報を付与し、前記中頁プリンタは前記中頁シートに前記中頁識別情報を付与し、かつ
前記冊子照合ユニットは、入力された前記表紙識別情報と前記中頁識別情報と前記注文管理情報とに基づいて冊子毎の前記表紙シートと前記中頁シートとの対応関係を決定する冊子照合部と、前記対応関係を所定の表示形態で表示する表示部とを有する写真冊子作製システム。
【請求項２】
前記表紙識別情報と前記中頁識別情報とはスキャナによって読み取られて前記冊子照合ユニットに入力される情報である請求項１に記載の写真冊子作製システム。
【請求項３】
前記注文管理情報に含まれる前記表紙識別情報には前記表紙画像から生成された低データ容量の表紙圧縮画像が含まれており、前記対応関係を表示する前記表示部には前記表紙圧縮画像が表示される請求項１または２に記載の写真冊子作製システム。
【請求項４】
前記注文管理情報に含まれる前記表紙識別情報には前記表紙画像から生成された低データ容量の表紙圧縮画像が含まれており、前記注文管理情報に含まれる前記中頁識別情報には前記中頁画像から生成された低データ容量の中頁圧縮画像が含まれており、前記対応関係を表示する前記表示部には前記中頁圧縮画像が表示される請求項１から３のいずれか一項に記載の写真冊子作製システム。
【発明の詳細な説明】
【技術分野】
【０００１】
本発明は、表紙シートと中頁シートとからなる写真冊子を作製する写真冊子作製システムに関する。
【背景技術】
【０００２】
上記のような従来の写真冊子作製システムの一例として、識別情報を含む印刷情報が印刷された表紙および識別情報を含む印刷情報が印刷された枚葉紙を伴う用紙束とを搬送する搬送路と、前記表紙と用紙束の印刷情報を読み取る情報読み取り装置とを備えた製本処理装置が知られている（例えば、特許文献１参照）。この装置では、用紙束の内容と表紙の内容の不一致を識別情報を通じて判定することができるので、用紙束の内容と表紙の内容が相違したままで製本されてしまうことは防止できる。そして、用紙束の識別情報と表紙の識別情報とが一致しない場合には、表紙を取り替え、取替え後の表紙の印刷情報を情報読み取り装置で読み取り、これから入力された印刷情報に基づき、再度表紙の印刷情報に含まれている識別情報を読み出して、用紙束と表紙の識別情報とを比較する。この処理を、用紙束と表紙の識別情報とが一致するまで繰り返される。しかしながら、用紙束と表紙のいずれかがまだ準備されていない場合、両者が準備されるまで用紙束と表紙の識別情報の比較処理を無駄に繰り返すことになる。
【０００３】
また、別な従来の写真冊子作製システムの一例として、冊子ＩＤ読取部により冊子に印刷された冊子ＩＤ番号が貼込み前に読取られ、表紙ＩＤ読取部により表紙に印刷された表紙ＩＤ番号が貼込み前に読取られ、照合部により冊子ＩＤ番号と表紙ＩＤ番号が照合されて適正な対応関係を有するか否かが判定され、制御部により適正であると判定されたときには貼込みを実行し、適正でないと判定されたときには貼込みを回避する制御が行われる表紙貼込装置が知られている（例えば、特許文献２参照）。この装置では、照合部において冊子と表紙の対応関係が適正でないと判定されたときには、例えば制御部は機械の停止制御を行うので、冊子や表紙等の材料を無駄になることは回避される。しかしながら、その照合不可がどのような原因で発生しているのか、例えば、冊子の準備遅れが原因なのか、あるいは表紙の準備遅れが原因なのかが分からないので、作業者は、不安をもってその原因を調べなければならない。
【先行技術文献】
【特許文献】
【０００４】
【特許文献１】特開平１１‐１０５４５５号公報（段落番号〔００１７−００４２〕、図４）
【特許文献２】特開２００６‐３２７０１３号公報（段落番号〔０００４−００２１〕、図２）
【発明の概要】
【発明が解決しようとする課題】
【０００５】
このような写真冊子作製システムが熟練していない従業員に操作させなければならない写真店に設置される場合や、ユーザによるセルフサービスの形態で利用される場合には、上述した従来技術による装置のように、表紙シートと中頁シートとの不一致により装置が自動的に停止するだけでは不親切である。また、写真冊子を構成する表紙シートと中頁シートとは、サイズだけでなく、シート質や厚みなども異なる場合があり、設定の手間などを考慮してそれぞれ別のプリンタによってプリント出力されることが少なくない。このような場合では、特に表紙シートと中頁シートの仕上がり時間が異なることになるので、写真冊子に製本化する際に、それぞれの対応相手としての表紙シートと中頁シートの仕上がり時間がずれる可能性は高く、不一致が発生する可能性は少なくない。特に、熟練されていないものが操作する場合、冊子単位で、連続的にプリント出力した表紙シートや中頁シートの順序を、製本の前に入れ違える恐れもある。
このような実情を考慮すると、表紙シートと中頁シートとの不一致により装置が自動的に停止するだけではなく、さらにユーザフレンドリーな対策が望まれている。
【課題を解決するための手段】
【０００６】
表示シートに割り付けられた表紙画像を前記表紙シートに形成する表紙プリンタと、中頁シートに割り付けられた中頁画像を前記中頁シートに形成する中頁プリンタと、前記表紙プリンタから出力された表紙シートと前記中頁プリンタから出力された中頁シートをまとめて冊子形態にする製本機とを備えた写真冊子作製システムにおいて、本発明では、さらに、前記製本機によって冊子化されるべき表紙シートと中頁シートとを照合する冊子照合ユニットと、注文された写真冊子を識別する冊子識別情報と、前記注文された写真冊子を構成する表紙シートを識別する表紙識別情報と、前記注文された写真冊子を構成する中頁シートを識別する中頁識別情報とを生成するとともに、前記冊子識別情報と前記表紙識別情報と表紙画像とを含む表紙注文情報を前記表紙プリンタに送り、前記冊子識別情報と前記中頁識別情報と中頁画像とを含む中頁注文情報を前記中頁プリンタに送り、前記冊子識別情報と前記表紙識別情報と前記中頁識別情報とを含む注文管理情報を前記冊子照合ユニットに送る注文情報生成部とが備えられ、
前記表紙プリンタは前記表紙シートに前記表紙識別情報を付与し、前記中頁プリンタは前記中頁シートに前記中頁識別情報を付与し、かつ前記冊子照合ユニットは、入力された前記表紙識別情報と前記中頁識別情報と前記注文管理情報とに基づいて冊子毎の前記表紙シートと前記中頁シートとの対応関係を決定する冊子照合部と、前記対応関係を所定の表示形態で表示する表示部とを有する。
【０００７】
この構成では、写真冊子の受注時に写真冊子を識別する冊子識別情報と、表紙シートを識別する表紙識別情報と、中頁シートを識別する中頁識別情報とが生成され、冊子照合ユニットがそれらの各識別情報に基づいて冊子毎の前記表紙シートと前記中頁シートとの対応関係を決定し、液晶ディスプレイなどの表示部にその対応関係が所定の表示形態で表示される。これにより、このような写真冊子作製システムに不慣れなものであっても、その表紙シートと中頁シートとの対応関係を視覚的に確認しながら写真冊子作製作業を進めることができる。特にこの冊子照合ユニットを対応する表紙シートと中頁シートとを組み合わせる製本機の操作空間領域に配置すると、目で確認しながら製本作業を行うことができるので好都合である。
【０００８】
本発明の好適な実施形態の１つでは、前記表紙識別情報と前記中頁識別情報とはスキャナによって読み取られて前記冊子照合ユニットに入力される情報である。この構成によれば、表紙識別情報や中頁識別情報の入力作業が簡単化される。特にこれらの識別情報にバーコードや二次元コードを採用すると、表紙シートや中頁シートの余白部分に形成することができる。さらに、この表紙シートや中頁シートが製本段階で断裁される部分を有する場合、その断裁部分にバーコードや二次元コードを形成すると、最終的な写真冊子にそのようなコードが残存しないので好都合である。
【０００９】
本発明の別な好適な実施形態の１つでは、前記注文管理情報に含まれる前記表紙識別情報には前記表紙画像から生成された低データ容量の表紙圧縮画像が含まれており、前記対応関係を表示する前記表示形態には前記表紙圧縮画像が表示される。この構成では、表紙シートと中頁シートとの対応関係を表示する際、表紙シートに用いられている表紙画像に基づく画像が表示されるので、その対応関係の確認が容易となる。同様な目的で、前記注文管理情報に含まれる前記表紙識別情報には注文管理情報に含まれる前記中頁識別情報には前記中頁画像から生成された低データ容量の中頁圧縮画像が含まれ、前記対応関係を表示する前記表示形態には前記中頁圧縮画像が表示される構成を採用してもよい。この構成では、表紙シートと中頁シートとの対応関係を表示する際、中頁シートに用いられている中頁画像に基づく画像が表示されるので、その対応関係の確認が容易となる。もちろん、上記２つの特徴を組み合わせて、表紙シートと中頁シートとの対応関係を表示する際、表紙シートに用いられている表紙画像に基づく画像と、中頁シートに用いられている中頁画像に基づく画像とが表示されるので、さらにその対応関係の確認が容易となる。
【図面の簡単な説明】
【００１０】
【図１】本発明の写真冊子作製システムにおける基本的な情報と物の流れを示す模式図である。
【図２】写真冊子注文処理を模式的に示すチャート図である。
【図３】撮影画像をテンプレートの画像枠に割り付ける割付制御の流れを図解説明しているチャート図である。
【図４】写真冊子注文処理の機能ブロック図である。
【図５】写真冊子注文処理における冊子種類選択画面を示す模式図である。
【図６】冊子注文受付機から送り出される情報のデータ構造を示す模式図である。
【図７】表紙プリンタと中頁プリントとから冊子照合ユニットに送られる管理用データのデータ構造を示す模式図である。
【図８】冊子照合ユニットの機能ブロック図である。
【図９】表紙シートと中頁シートとの対応関係をグラフィックイメージで示す報知情報表示のモニタ画面図である。
【発明を実施するための形態】
【００１１】
以下、本発明の実施の形態を図面に基づいて説明する。まず、図１の模式図を用いて、本発明による写真冊子作製システムの基本構成の一例と、その各基本構成要素間の情報と物の流れを説明する。なお、この写真冊子作製システムで作製される写真冊子９は、厚手のプリントシートからなる表紙シート９１と、薄手のプリントシートからなる中頁シート９２とから構成される。中頁シート９２は、本文頁を構成するものであり、1枚から多数枚の任意の枚数からなるが、ここでは特に区別する必要がない限り、1枚の中頁シート９２も複数の束となった中頁シート９２も同様に中頁シート９２と称している。表紙シート９１は、表紙と背表紙と裏表紙が一枚のシートで一体化されたものであり、表紙と背表紙との間及び背表紙と裏表紙との間に折り筋が形成され、背表紙と頁シート９２との間をホットメルト接着剤等を用いて接着することで冊子体となる。従って、表紙シート９１長さは表紙と背表紙と裏表紙の長さを足したものとなる。なお、表紙シート９１と中頁シート９２とは、サイズは異なるが、同じ厚さで同じシート質（紙質）を用いても良い。
【００１２】
この写真冊子作製システムは、写真冊子９の注文ないしは受注が行われる注文ステーションと、表紙シート９１や中頁シート９２をプリント出力するプリントステーションと、プリント出力された表紙シート９１と中頁シート９２とから写真冊子９を作製する製本ステーションとに区分けされる。ここでは、注文ステーションには冊子注文受付機２が属している。プリントステーションには表紙シート９１を出力する表紙プリンタ４Ａと、中頁シート９２を出力する中頁プリンタ４Ｂとが属している。製本ステーションは、製本機7及びここには図示されていないが筋入れ機や断裁機も属している。後で、詳しく説明する冊子照合ユニット５０は、基本的には製本ステーションに属するものであるが、作業者に携帯させてもよい。
【００１３】
次に、本発明における特に重要な、冊子注文受付機２、表紙プリンタ４Ａ、中頁プリンタ４Ｂ、冊子照合ユニット５０の間の情報の流れを説明する。冊子注文受付機２から表紙プリンタ４Ａへは、写真冊子注文を特定する注文識別情報（以下単に注文ＩＤと称する）、注文された写真冊子９を識別する冊子識別情報（以下単に冊子ＩＤと称する）、注文された写真冊子９の表紙シート９１を識別する表紙識別情報（以下単に表紙ＩＤと称する）、表紙用画像（正確には画像データであるが特に区別する必要がない場合単に画像と略称する）を含む表紙注文情報が転送される。冊子注文受付機２から中頁プリンタ４Ｂへは、注文ＩＤ、冊子ＩＤ、注文された写真冊子９の中頁シート９２を識別する中頁識別情報（以下単に中頁ＩＤと称する）、中頁用画像を含む中頁注文情報が転送される。冊子注文受付機２から冊子照合ユニット５０へは、注文ＩＤ、冊子ＩＤ、表紙ＩＤ、中頁ＩＤを含む注文管理情報が転送される。この注文管理情報により、冊子照合ユニット５０は、製本機７で冊子化される写真冊子９を構成する表紙シート９１と中頁シート９２の適切な組み合わせ照合を認識することができる。
【００１４】
さらに、表紙プリンタ４Ａでは、注文ＩＤ、冊子ＩＤ、表紙ＩＤを含む表紙管理用データが、好ましくは一次元バーコードまたは二次元コードの形態で表紙シート９１の余白に付与される。また、表紙管理用データを付箋紙のような形態で表紙シート９１に付与してもよい。同様に、中頁プリンタ４Ｂでは、注文ＩＤ、冊子ＩＤ、中頁ＩＤを含む中頁管理用データが、好ましくは一次元バーコードまたは二次元コードの形態で中頁シート９２の余白に付与される。また、中頁管理用データを付箋紙のような形態で中頁シート９２に付与してもよい。このように表紙シート９１に付与された表紙管理用データまたは中頁シート９２に付与された中頁管理用データは、冊子照合ユニット５０で読み取り入力されることで、読み取られた表紙シート９１または中頁シート９２と対応関係となる中頁シート９２または表紙シート９１が製本機７による冊子化の適切な相手側として表示される。
なお、上記の説明では、注文ＩＤと冊子ＩＤを用いていたが、冊子ＩＤのみで写真冊子９を一義的に特定することができる場合には注文ＩＤを管理用データから省くことができる。
【００１５】
次に、冊子注文受付機２の実施形態の一例を、その使用形態とともに説明する。図２と図３は、この冊子注文受付機２における写真冊子注文処理を模式的に示すチャート図、特に図２は撮影画像をテンプレートの画像枠に割り付ける割付制御の流れを図解説明しているチャート図である。図４は、冊子注文受付機２の機能ブロック図である。この冊子注文受付機２は、ＤＰショップなどの写真サービス店やコンビニエンスストア等の店頭に設置されるセルフサービス可能な注文受付機である。各種操作は、モニタ２ａに表示される注文受付処理に関する各種の情報に案内されながら、モニタ２ａに装備された操作入力デバイスとしてのタッチパネル２ｂを通じて、実質的に顧客によるセルフサービスで行われる。この注文受付機には、基本的にはコンピュータプログラムで実現される種々の機能を有するコントロールユニットが組み込まれている。
【００１６】
写真冊子制作の注文を行う顧客は、モニタ２ａに表示されているスタート画面を見ながらタッチパネル２ｂを通じて操作して、注文処理をスタートさせる。モニタ２ａに表示される写真冊子タイプ選択画面を通じて所望の写真冊子タイプを選択する（＃０１）。写真冊子タイプを選択することで、表紙９１のタイプと中頁９２のタイプも決定される。
【００１７】
このような写真冊子タイプを選択するためにモニタ２０に表示される写真冊子タイプ選択画面の一例が図５に示されている。ここでは図示されていないが、各冊子アイコンをクリックすることによりその冊子を構成する表紙や中頁のデザインも確認することができる。この画面では写真冊子９のタイプ、及びサイズと中頁枚数が設定可能となっている。この写真冊子タイプ選択画面を通じての写真冊子タイプの選択は写真冊子タイプ選択部２２によって行われ、写真冊子タイプ選択部２２によって生成された注文写真冊子を既定する注文条件情報は、割付用画像選択部２３やテンプレート管理部２４に送られる（＃０２、＃０３）。
【００１８】
割付用画像選択部２３に注文条件情報が与えられると、記録メディアをメディアリーダ２９に投入することが促される。写真冊子９に割り付けたい撮影画像を記録している記録メディアを冊子注文受付機２のメディアリーダ２９に投入することで、記録メディアから撮影画像が入力画像処理部２１を通じてワーキングメモリ２０に転送される。ワーキングメモリ２０に展開された全ての撮影画像から画像選択画面を通じて撮影画像割付処理が行われる（＃０４）。メディアリーダ２９に投入された記録メディアに記録されている全撮影画像のサムネイル画像がスクロール表示されるので、その中から、今回の写真冊子９の表紙９１や中頁９２に割り付ける撮影画像をクリック等で選択する。
【００１９】
写真冊子タイプ選択部２２から注文条件情報を受け取ったテンプレート管理部２４は、それに適合するテンプレートセットをテンプレート格納部２５から読み出し、そのテンプレートセットを構成するテンプレートを順次ワーキングメモリ２０に展開する。なお、各テンプレートには１つ以上の画像枠が設けられている。次に、テンプレート管理部２４によってワーキングメモリ２０に順次展開されていく表紙テンプレート及び中頁テンプレートの画像枠に、同様にワーキングメモリ２０に展開されている撮影画像を割り付けていく割付制御部３０の動作が図３で模式的に示されている。なお、この撮影画像の割り付けの際に、表紙テンプレート及び中頁テンプレートに割り付けられた撮影画像の圧縮画像、例えば、サムネイル画像がこの撮影画像に関係付けられる。
【００２０】
このようにして、１枚の表紙テンプレートおよび１枚以上の中頁テンプレートに撮影画像が順次割り付けられる。全てのテンプレートに撮影画像が割り付けられると、この割付情報に基づいてプリントデータ生成部２８が、表紙シート９１と中頁シート９２のプリント出力のためのプリントデータを生成する。処理対象となった撮影画像に対する、解像度変換、濃度変換、拡大縮小処理、各種フィルタ処理、合成処理などは画像処理部２７によって行われる。冊子注文受付機２のコントロールユニットに構築されているＧＵＩは、モニタ画面上での各種の情報の表示にグラフィックを用い、その操作入力をタッチパネルと組み合わせて行うためのユーザインターフェースを作り出す。
【００２１】
注文情報生成部３０は、図６で示すように、表紙シート９１を出力する表紙プリンタ４Ａへ送り出す表紙注文情報（図６（ａ））、中頁シート９２を出力する中頁プリンタ４Ｂへ送り出す中頁注文情報（図６（ｂ））、冊子照合ユニット５０へ送り出す注文管理情報（図６（ｃ））を生成する。なお、表紙注文情報に含まれている表紙画像は、この表紙画像に対する上述したプリントデータであり、中頁注文情報に含まれている中頁画像は、この表紙画像に対する上述したプリントデータである。注文管理情報に含まれている、冊子ＩＤには冊子タイプをイラストで示した冊子タイプサムネイル画像がリンクしている。なお、ここでのサムネイル画像は元画像から圧縮処理（解像度低減や縮小処理を含めたデータ容量の低減化処理）された低データ容量画像の一例である。同様に、表紙ＩＤには表紙画像のサムネイル画像が、中頁ＩＤには中頁画像のサムネイル画像がリンクしている。リンクされる中頁画像のサムネイル画像としては、一枚目に割り付けられた中頁画像のサムネイル画像だけでもよいし、適当な頁に割り付けられた中頁画像のサムネイル画像、あるいは全ての中頁画像のサムネイル画像でもよい。注文情報生成部３０で取り扱われる、注文ＩＤ、冊子ＩＤ、表紙ＩＤ、中頁ＩＤなどの各識別情報は、ＩＤ発行部３１で生成される。
【００２２】
既に図１を用いて説明したように、冊子注文受付機２から送られてくる表紙注文情報を利用して、表紙プリンタ４Ａは、表紙シート９１の余白部に、この例では、後で断裁機で除去される断裁領域に二次元コードの形態で、図７（ａ）で示されたデータ構造を有する表紙管理用データを付与する。同様に、冊子注文受付機２から送られてくる中頁注文情報を利用して、中頁プリンタ４Ｂは、中頁シート９２の余白部に、好適には、後で断裁機で除去される断裁領域に二次元コードの形態で、図７（ｂ）で示されたデータ構造を有する中頁管理用データを付与する。
【００２３】
次に、製本機７を用いた製本時に、写真冊子９となるべき表紙シート９１と中頁シート９２との対応関係が不明となったとき、表紙シート９１に付与されている表紙管理用データを用いて相手側の中頁シート９２を確認するための表示、または中頁シート９２に付与されている中頁管理用データを用いて相手側の、表紙シート９１確認するための表示を行う冊子照合ユニット５０の機能部を図８による機能ブロック図を用いて説明する。
【００２４】
冊子照合ユニット５０は、注文管理情報入力部５１、照合テーブル５２、識別情報読取部５３、表紙識別情報処理部５４、中頁識別情報処理部５５、冊子照合部５６、照合結果出力部５７、サムネイル画像管理部５８、表示部５９を備えている。注文管理情報入力部５１は、冊子注文受付機２から送られてきた注文管理情報から、注文ＩＤ、冊子ＩＤ、表紙ＩＤ、中頁ＩＤ、各種サムネイル画像を取り出す。さらに、取り出した注文ＩＤ、冊子ＩＤ、表紙ＩＤ、中頁ＩＤによって規定される写真冊子９と当該写真冊子９を構成する表紙シート９１と中頁シート９２との間の対応関係を冊子ＩＤ別さらには注文ＩＤ別に照合テーブル５２に書き込む。また、注文管理情報から取り出した冊子タイプサムネイル画像と表紙サムネイル画像と中頁サムネイル画像をサムネイル画像管理部５８に転送する。サムネイル画像管理部５７は、各サムネイル画像を対応するＩＤで読み出すことができるように管理する。
【００２５】
識別情報読取部５３は、表紙シート９１に付与されている表紙管理用データ及び中頁シート９２付与されている中頁管理用データを読み取るもので、この実施形態では、二次元コードのバーコードスキャナとして構成されている。表紙識別情報処理部５４は、読み取られた表紙管理用データから注文ＩＤ、冊子ＩＤ、表紙ＩＤを分離して、内部処理可能な形式に変換して冊子照合部５６に転送する。中頁識別情報処理部５５は読み取られた中頁管理用データから注文ＩＤ、冊子ＩＤ、中頁ＩＤを分離して、内部処理可能な形式に変換して冊子照合部５６に転送する。冊子照合部５６は、表紙識別情報処理部５４から転送された注文ＩＤ、冊子ＩＤ、表紙ＩＤに基づいて同一の注文ＩＤと冊子ＩＤとリンクしている中頁ＩＤを照合テーブル５２を用いて検索し、見つけられた注文ＩＤ、冊子ＩＤ、表紙ＩＤ、中頁ＩＤによって特定される表紙シートと中頁シートとの対応関係を照合結果出力部５７に与える。照合結果出力部５７は与えられた対応関係及びその冊子ＩＤと表紙ＩＤと中頁ＩＤにリンクしている各サムネイル画像をサムネイル画像管理部５８から読み込み、を所定の表示形態で表示するための表示情報を生成して表示部としてのモニタ５９に出力する。示されている。
【００２６】
モニタ５９で表示される、表紙シートと中頁シートとの対応関係の好ましい表示形態の１つの図９に示されている。この表示形態では、識別情報読取部５３で読み取られた表紙管理用データまたは中頁管理用データによって規定される表紙シートまたは中頁シートに属するサムネイル画像を含む情報が画面左側に示され、それと対応関係をもつ中頁シートまたは表紙シートに属するサムネイル画像を含む情報が画面右側に示されている。このモニタ画面を見ることで、表紙シートと中頁シートとの対応関係が容易に理解することができる。
【符号の説明】
【００２７】
２：冊子注文受付機
４Ａ：表紙プリンタ
４Ｂ：中頁プリンタ
７：製本機
３０：注文情報設定部
３１：ＩＤ発行部
５０：冊子照合ユニット
５１：注文管理情報入力部
５２：照合テーブル
５３：識別情報読取部
５４：表紙識別情報処理部
５５：中頁識別情報処理部
５６：冊子照合部
５７：照合結果出力部
５８：サムネイル画像管理部
５９：表示部
９：写真冊子
９１：表紙シート
９２：中頁シート
【図１】
2011206917.tif 000003
【図２】
2011206917.tif 000004
【図３】
2011206917.tif 000005
【図４】
2011206917.tif 000006
【図５】
2011206917.tif 000007
【図６】
2011206917.tif 000008
【図７】
2011206917.tif 000009
【図８】
2011206917.tif 000010
【図９】
2011206917.tif 000011